(57)【要約】      【課題】被処理体の表面状態による影響を殆ど受けることなく高精度にマーク位置検出を行ってＡＧＡ方式によるアライメントを行うのに適した位置検出マークを選択することができるマーク位置検出装置を提供すること。    【解決手段】  このマーク検出装置１は、ウエハ２の表面２ａに形成されたアライメントマークＭに表面２ａから表面光１０ａを照射する表面側光源１０と、表面光１０ａのアライメントマークＭからの反射光を検出する表面側ＣＣＤ１７と、アライメントマークＭにウエハ２を通して裏面２ｂから裏面光２０ａを照射する裏面側光源２０と、裏面光２０ａのアライメントマークＭからの反射光を検出する裏面側ＣＣＤ２７と、表面側ＣＣＤ１７の検出結果と裏面側ＣＣＤ２７の検出結果との差分を算出し、その差分に基づいてアライメントマークＭの中から所定のアライメントマークＭを選択する信号処理部４１とを有する。    【選択図】  図１
2005057222.tif 000002
【特許請求の範囲】
【請求項１】
被処理体の表面に形成された位置検出用マークに該表面から第１の照明光を照射する第１の光源と、
前記第１の照明光の前記位置検出用マークからの反射光を検出する第１の検出器と、
前記位置検出用マークに前記被処理体を通して裏面から第２の照明光を照射する第２の光源と、
前記第２の照明光の前記位置検出用マークからの反射光を検出する第２の検出器と、
前記第１の検出器による検出結果と前記第２の検出器による検出結果との差分を算出し、その差分に基づいて前記位置検出マークの中から所定の位置検出マークを選択する演算部と、を有するマーク検出装置。
【請求項２】
前記第１の照明光の波長が、５００ｎｍ以上７００ｎｍ以下、又は、１１００ｎｍ以上１３００ｎｍ以下のいずれかであることを特徴とする請求項１に記載のマーク検出装置。
【請求項３】
前記被処理体が、その裏面が鏡面研磨されたシリコンウエハであることを特徴とする請求項１に記載のマーク検出装置。
【請求項４】
前記第２の照明光が赤外光であることを特徴とする請求項１に記載のマーク検出装置。
【請求項５】
被処理体の表面に形成された位置検出用マークに該表面から第１の照明光を照射し、その反射光を第１の検出器により検出するステップと、
前記位置検出用マークに前記被処理体を通して裏面から第２の照明光を照射し、その反射光を第２の検出器により検出するステップと、
前記第１の検出器による検出結果と前記第２の検出器による検出結果との差分を算出するステップと、
その差分に基づいて前記位置検出マークの中から所定の位置検出マークを選択するステップと、を有するマーク検出方法。
【請求項６】
コンピュータに、
被処理体の表面に形成された位置検出用マークに該表面から第１の照明光を照射し、その反射光を第１の検出器により検出するステップと、
前記位置検出用マークに前記被処理体を通して裏面から第２の照明光を照射し、その反射光を第２の検出器により検出するステップと、
前記第１の検出器による検出結果と前記第２の検出器による検出結果との差分を算出するステップと、
その差分に基づいて前記位置検出マークの中から所定の位置検出マークを選択するステップと、を実行させるマーク検出プログラム。
【請求項７】
露光原版のパターンを前記被処理体に露光するための光源と、
該露光原版を保持する第１の保持部材と、
前記被処理体を保持する第２の保持部材と、
請求項６に記載のマーク検出方法によって選択された前記所定の位置検出マークの位置を前記被処理体の表面から検出する検出部と、
該検出部の検出結果に基づいて、前記第１の保持部材と前記第２の保持部材との位置関係を調整する位置調整部と、を備えた露光装置。
【請求項８】
露光原版のパターンを前記被処理体に露光するための光源と、
該露光原版を保持する第１の保持部材と、
前記被処理体を保持する第２の保持部材と、
請求項１に記載のマーク検出装置と、
該マーク検出装置によって選択された前記所定の位置検出マークの位置を前記被処理体の表面から検出する検出部と、
該検出部の検出結果に基づいて、前記第１の保持部材と前記第２の保持部材との位置関係を調整する位置調整部と、を備えた露光装置。
【請求項９】
請求項７又は請求項８に記載の露光装置によって前記被処理体を投影露光する工程と、投影露光された前記被処理体に所定のプロセスを行う工程とを有するデバイスの製造方法。
【請求項１０】
請求項７又は請求項８に記載の露光装置によって投影露光された前記被処理体より製造されるデバイス。
【発明の詳細な説明】
【技術分野】
【０００１】
本発明は、被処理体の表面に形成された位置検出用マークを検出するマーク検出装置、マーク検出方法、マーク検出プログラム、露光装置、デバイスの製造方法、及び、デバイスに係り、特に、半導体の製造に用いられるシリコンウエハ表面に形成されたアライメントマークを検出するマーク検出装置等に関する。
【０００２】
本発明は、例えば、半導体製造用の露光装置において、露光原版としてのレチクル面上に形成されているＩＣ，ＬＳＩ，ＶＬＳＩ等の微細な電子回路パターンと被処理体としてのシリコンウエハとの相対的な位置合わせ（アライメント）を、いわゆるグローバルアライメントによって行う際のアライメントマークの検出に適している。
【背景技術】
【０００３】
半導体製造用の投影露光装置においては、集積回路の微細化、高密度化に伴い露光原版としてのレチクル面上の回路パターンを被処理体としてのシリコンウエハ（以下、ウエハと略す。）面上により高い解像力で投影露光できることが要求されている。この露光装置には、例えばステッパーと呼ばれるもの（ステップ・アンド・リピートにより各ショットを一括露光するもの）やスキャナーと呼ばれるもの（ステップ・アンド・スキャンにより各ショットを走査露光するもの）がある。
【０００４】
ステッパーやスキャナー等の露光装置においては、レチクルとウエハとの位置調整（いわゆるアライメント）が重要となる。一般に、これらの露光装置においては、オフアクシス方式のアライメント方法が多く用いられている。このオフアクシス方式のアライメント方法とは、レチクル上のアライメントマークとウエハ上のアライメントマークとを照明してそれぞれのアライメントマークからの反射光を検出手段により検出し、画像処理手段によってそれぞれのアライメントマーク位置を算出して所定の基準位置との相対位置ずれをレチクル・ウエハのそれぞれにおいて算出して相対的な位置調整を行うものである。ここで、アライメントマークとは、位置調整の際の基準とするためにレチクルやウエハに形成された精密微細なマーク（図２、図３参照）のことであり、一般にウエハ等の表面にエッチング等によって形成されるものである。
【０００５】
図１６にオフアクシス方式のアライメント方法を行うための装置構成の例を示す。この装置によれば、ハロゲン光などの光源１０１からの光を光ファイバ１０２を介して照明光学系１０３によってウエハ１０４に照射する。ウエハ１０４上のアライメントマーク（以下、マークと略す。）からの反射光を検出光学系１０５を介してＣＣＤカメラ等の撮像手段１０６を用いて撮像する。撮像画像をビデオ信号に変換し、そのビデオ信号を用いて図示しない画像処理手段によってマークの位置を算出する。また、マーク検出手段としては、図１６に示す明視野照明を使用した装置構成のもの以外にも、例えば位相差干渉を用いた装置構成のものもある。
【０００６】
ウエハ上のマークは、ウエハ上に配置された複数のショット領域（チップパターン）の領域間であるスクライブライン内に形成されている。このウエハ上のマーク位置を上述のオフアクシス方式のアライメント方法によって検出する方法を一般にウエハアライメントという。このウエハアライメントにおいては、ウエハ上に２次元配列された複数のショット領域に対応する複数のマークの位置検出を行い、その検出結果に基づいてウエハの位置調整を行って各ショット領域の露光を順次行ういわゆるグローバルアライメント方式が主流となっている。
【０００７】
グローバルアライメント方式の利点として、マーク位置の検出値の中で明らかに異常値と思われる検出値を除去することが可能である点、検出値が複数であるため平均化効果が期待できる点、等がある。グローバルアライメント方式によってマーク位置が精密に検出され、さらにその検出結果に基づく位置補正が精密に行われれば、露光におけるアライメント誤差を大幅に低減することができて望ましい。そのため、グローバルアライメント方式においては、マークの形状誤差を原因とする検出異常値や、他の検出値と比較して大きく傾向の異なる検出値を除外してアライメントが行われる。
【０００８】
キヤノン株式会社（メーカー名）製のステッパーにおいて採用されるグローバルアライメント方式はＡＧＡ（Ａｄｖａｎｃｅｄ  Ｇｌｏｂａｌ  Ａｌｉｇｎｍｅｎｔ）方式と呼ばれ、そのＡＧＡ方式において検出されるマークに対応するショットはＡＧＡショットと呼ばれる。以下、グローバルアライメント方式をＡＧＡ方式と、ＡＧＡ方式において選択的に検出されるマークに対応するショット領域をＡＧＡショットということとする。
【０００９】
ＡＧＡ方式においては、ウエハ上の複数ショット領域の中から所定のＡＧＡショットを選択し、それに対応するマーク位置検出を行うことを特徴としている。図１７はＡＧＡ方式において、ウエハ１０４から選択される所定のＡＧＡショット１０７を示す図である。ＡＧＡ方式においては、この図の斜線で示したＡＧＡショット１０７に対応するマークの位置を検出する。
【００１０】
ＡＧＡ方式においては、マーク位置検出のためにどのＡＧＡショット１０７を選択するかが重要である。なぜならば、ＡＧＡショット１０７に対応するマークの検出結果に基づいてウエハ１０４全体の統計処理計算を行うので、そのマークの検出誤差がウエハ１０４全体の位置検出誤差に影響するからである。したがって、ＡＧＡ方式における検出精度を向上させるためには、選択されたＡＧＡショット１０７に対応するマークすべての位置検出精度を向上させる必要があり、検出異常値の除外等の処理のみでは充分とは言えない。
【００１１】
ウエハ上のマーク位置検出の誤差要因となるものに、アライメント光学系の収差等に起因する装置要因誤差としてのＴＩＳ（Ｔｏｏｌ  Ｉｎｄｕｃｅｄ  Ｓｈｉｆｔ）と、半導体プロセス要因であって検出信号の非対称性による誤差としてのＷＩＳ（Ｗａｆｅｒ  Ｉｎｄｕｃｅｄ  Ｓｈｉｆｔ）とがある。このＷＩＳが発生する要因としては、ウエハ表面に塗布されるレジストパターンの非対称性、マークの段差（エッジ）部分のテーパ形状、左右のエッジ部分の傾斜の相違、平面度の部分的な変動、装置要因との相乗効果による検出信号シフト等が考えられる。例えば、ウエハ上のマークからの画像検出信号（ラインセンサ等の１次元センサからの信号の場合もある）が歪んでしまい、その対称性が失われてしまう場合がある（例えば、特許文献１参照）。一方、アライメント用投影光学系のレンズの色収差の影響を防止するために、ウエハの裏面側からマークを観察するものもある（例えば、特許文献２）。
【特許文献１】特公平６−５０７１４号公報
【特許文献２】特開平１−１６４０３２号公報
【発明の開示】
【発明が解決しようとする課題】
【００１２】
上記の特許文献１に開示のものは、ウエハ表面に塗布されているレジストの種類や塗布状況等によって検出結果にさまざまな影響が生じてしまうという問題がある。すなわち、アライメント光のレジスト表面での反射光、アライメント光のレジスト内での屈折と多重反射、アライメント光のマークエッジ部での回折、レジスト表面での反射光とレジスト内多重反射光との相互干渉等により、マーク位置検出結果が変動してしまう場合がある。したがって、従来のＡＧＡ方式においては、レジストに起因するマーク位置検出信号の歪みを生じてしまい、その結果、アライメント精度が劣化してしまう場合があった。
【００１３】
例えば、ウエハ１０４の表面にレジストを回転塗布した場合、ウエハ１０４表面には図１８に示すような回転方向の塗布ムラ１０８や図１９に示すような放射方向の塗布ムラ１０９が生じてしまう場合がある。このような塗布ムラ１０８，１０９が生じると、ウエハ１０４の表面では位置によってレジストの厚さや光の反射状態が異なってしまう。それにより、選択するＡＧＡショット１０７の位置によってはマークの位置検出結果に誤差を生じてしまうという問題がある。また、凹状に形成されたマークのエッジを検出する際に、そのエッジ部分が傾斜している場合は、どの程度の深さ位置を基準として検出するかによっても検出位置に誤差を生じてしまう場合がある。
ウエハ１０４の表面研磨工程であるＣＭＰ（Ｃｈｅｍｉｃａｌ  Ｍｅｃｈａｎｉｃａｌ  Ｐｏｌｉｓｈｉｎｇ）においては、ウエハ１０４の表面構造が金属膜の場合はマーク検出のための検出光がウエハ１０４の表面で反射されてしまう。したがって、マークのウエハ１０４表面より凹んだ部分を検出することが困難となり、マーク位置検出に誤差を生じてしまう。ウエハ１０４の表面を絶縁膜とした場合であっても、その表面が平坦化されているためにマークの段差構造（凹形状）が殆どなくなってしまい、その結果、ウエハ１０４表面からの反射光の強度が低くなってしまって、位置検出が困難となってしまう。
【００１４】
図２０に、ＣＭＰ等の工程を含むウエハの表面プロセス工程の手順を示す。図２０は、ウエハ基板１０４の表面に形成された酸化シリコン（ＳｉＯ２）層１１０にエッチングによりマーク１１１を形成する工程（Ｓ．１）、その上にタングステン膜１１２を形成する工程（Ｓ．２）、ウエハ１０４表面をＣＭＰにより平坦化する工程（Ｓ．３）、その後ウエハ１０４表面にＡｌ/Ｓｉ/Ｃｕの合成膜１１３を形成する工程（Ｓ．４）、さらにその上にＴｉＮ膜１１４を形成する工程（Ｓ．５）を示している。
【００１５】
ウエハ１０４表面に光透過性が低くかつ反射率が低い金属膜等が形成された場合は、マーク位置検出信号のコントラストが低下する。コントラストの低下を防止するために、マーク１１１が平坦化されないようマーク１１１の線幅を大きくすることも考えられるが、それによってＣＭＰ等に起因する非対称性ＷＩＳが発生してしまう。
【００１６】
本発明は上記のような事情に鑑みて為されたもので、被処理体の表面状態による影響を殆ど受けることなく高精度にマーク位置検出を行ってＡＧＡ方式によるアライメントを行うのに適した位置検出マークを選択することができるマーク位置検出装置、マーク検出方法、マーク検出プログラムを提供することを例示的目的とする。また、そのマーク位置検出方法を用いた露光装置や、その露光装置によるデバイスの製造方法、及び、製造されたデバイスを提供することを他の例示的目的とする。
【課題を解決するための手段】
【００１７】
本発明の例示的側面としてのマーク位置検出装置は、被処理体の表面に形成された位置検出用マークに表面から第１の照明光を照射する第１の光源と、第１の照明光の位置検出用マークからの反射光を検出する第１の検出器と、位置検出用マークに被処理体を通して裏面から第２の照明光を照射する第２の光源と、第２の照明光の位置検出用マークからの反射光を検出する第２の検出器と、第１の検出器による検出結果と第２の検出器による検出結果との差分を算出し、その差分に基づいて位置検出マークの中から所定の位置検出マークを選択する演算部と、を有することを特徴とする。
【００１８】
本発明の他の例示的側面としてのマーク検出方法は、被処理体の表面に形成された位置検出用マークに表面から第１の照明光を照射し、その反射光を第１の検出器により検出するステップと、位置検出用マークに被処理体を通して裏面から第２の照明光を照射し、その反射光を第２の検出器により検出するステップと、第１の検出器による検出結果と第２の検出器による検出結果との差分を算出するステップと、その差分に基づいて位置検出マークの中から所定の位置検出マークを選択するステップと、を有することを特徴とする。
【００１９】
本発明の他の例示的側面としてのマーク検出プログラムは、被処理体の表面に形成された位置検出用マークに表面から第１の照明光を照射し、その反射光を第１の検出器により検出するステップと、位置検出用マークに被処理体を通して裏面から第２の照明光を照射し、その反射光を第２の検出器により検出するステップと、第１の検出器による検出結果と第２の検出器による検出結果との差分を算出するステップと、その差分に基づいて位置検出マークの中から所定の位置検出マークを選択するステップと、を実行させることを特徴とする。
【００２０】
本発明の他の例示的側面としての露光装置は、露光原版のパターンを被処理体に露光するための光源と、露光原版を保持する第１の保持部材と、被処理体を保持する第２の保持部材と、上記のマーク検出方法によって選択された所定の位置検出マークの位置を被処理体の表面から検出する検出部と、検出部の検出結果に基づいて、第１の保持部材と第２の保持部材との位置関係を調整する位置調整部と、を備えたことを特徴とする。
【００２１】
本発明の他の例示的側面としての露光装置は、露光原版のパターンを被処理体に露光するための光源と、露光原版を保持する第１の保持部材と、被処理体を保持する第２の保持部材と、上記のマーク検出装置と、マーク検出装置によって選択された所定の位置検出マークの位置を被処理体の表面から検出する検出部と、検出部の検出結果に基づいて、第１の保持部材と第２の保持部材との位置関係を調整する位置調整部と、を備えたことを特徴とする。
本発明の他の例示的側面としてのデバイスの製造方法は、上記の露光装置によって被処理体を投影露光する工程と、投影露光された被処理体に所定のプロセスを行う工程とを有するデバイスの製造方法。
【００２２】
本発明の他の例示的側面としてのデバイスは、上記の露光装置によって投影露光された被処理体より製造されることを特徴とする。
【００２３】
本発明の更なる目的又はその他の特徴は、以下添付図面を参照して説明される好ましい実施例によって明らかにされるであろう。
【発明の効果】
【００２４】
本発明によれば、被処理体としてのウエハの表面状態による影響を殆ど受けることなく高精度にマーク位置検出を行ってＡＧＡ方式によるアライメントを行うのに適した位置検出マークを選択することができる。ウエハ表面に塗布されたレジストの非対称性により部分的にＷＩＳが生じている場合であっても、ＷＩＳの影響を殆ど受けないアライメントマークを選択することができ、そのアライメントマークを用いてＡＧＡ方式によるアライメントを行うことができる。
【００２５】
ウエハの有するＷＩＳの程度に応じて、アライメントの高精度化とウエハ製造の高スループット化を適宜選択することもできる。また、マーク検出結果に基づいてＷＩＳの状況をレジスト塗布機（コーター）にフィードバックすることにより、より一層レジスト塗布を精密に行うことができ、ひいてはＷＩＳを低減することも可能となる。
【発明を実施するための最良の形態】
【００２６】
［実施の形態１］
本発明の実施の形態１に係る位置検出装置を図面を用いて説明する。図１は、本発明の実施の形態１に係るマーク検出装置１を示す装置構成図である。この図において、引用符号２は半導体製造工程で使用される被処理体としてのシリコンウエハ（ウエハ）である。このウエハ２の表面２ａにはレジスト３が塗布されている。引用符号４はウエハ２を保持するためのウエハチャックである。このウエハチャック４は、赤外域の光を透過させてウエハ２の裏面２ｂに導くことができるように構成されている。ウエハチャック４を構成する材料としては、例えば石英等が考えられる。
【００２７】
引用符号５は、ウエハ２を移動してその位置調整を行うことができるウエハステージである。このウエハステージ５は、図に示すＸＹ方向、及びＸＹ平面内での回転方向（θ方向）に移動可能とされている。また、例えばその中心部近傍に孔が形成されることにより赤外域の光を透過させてウエハ２の裏面２ｂに導くことができるように構成されている。ウエハステージ５は例えばエアーステージ等により構成され、リニアモータのような電磁駆動手段等を用いたウエハ駆動系６によってＸ，Ｙ，θ方向に駆動されるようになっている。
【００２８】
そのウエハ駆動系６はウエハコントローラ７によって動作制御される。ウエハコントローラ７は図示しないウエハ位置検出部の動作も制御するようになっており、ウエハ位置検出部からの位置検出結果に基づいてウエハステージ５を移動させ、ウエハ２を所望の位置に高精度に位置決めできるように構成されている。
【００２９】
第１の光源（以下、表面側光源という。）１０は、第１の照明光（以下、表面光という。）１０ａをウエハ２の表面２ａ上に形成された位置検出用マークとしてのアライメントマークＭにその表面２ａから照射するものである。この実施の形態１においては、アライメントマークＭとして例えば図２又は図３に示す矩形マーク３０，３１が用いられる。
【００３０】
図２（ａ）に示す矩形マーク３０は、位置検出方向としてのＸ方向の寸法が４μｍ、Ｘ方向に直交するＹ方向の寸法が１２μｍとされている。この矩形マーク３０は、Ｘ方向に沿って例えば２０μｍのピッチで４つ形成されている。一般にシングルエッジと呼ばれる矩形マーク３０は図２（ｂ）にその断面図を示すように、エッチングによりウエハ表面２ａに断面凹状として形成されている。図３（ａ）に示す矩形マーク３１は、線幅０．６μｍの溝によってＸ方向の外形寸法４μｍ、Ｙ方向の外形寸法１２μｍの矩形として形成されたものである。一般にダブルエッジと呼ばれるこの矩形マーク３１もウエハ表面２ａにエッチングによって４つ形成され、Ｘ方向に沿って２０μｍのピッチとされている。本実施の形態１においては、アライメントマークＭとして図２に示す矩形マーク３０を用いた場合について説明する。なお、このアライメントマークＭが形成された後に、ウエハ表面２ａにレジスト３が塗布される。
【００３１】
図４は、オフアクシス系のアライメント検出光学系１０５（図１６参照）によってアライメントマークＭ（矩形マーク３０）に光を入射した様子を、図２（ａ）のＡ−Ａで切断して示す断面図である。矩形マーク３０は凹形状に形成されているので、ウエハ表面２ａに塗布されたレジスト３も、矩形マーク３０に対応する部分でなだらかに凹形状となる。
【００３２】
この矩形マーク３０のエッジ部分３０ａでは反射光が散乱するので、反射光の一部は検出光学系１０５に入射せず、反射光の検出強度が低下する。したがって、検出光学系１０５の撮像素子１０６（例えばＣＣＤカメラ）で撮像された像の水平ライン方向でのプロファイルデータ（Ｘ方向に沿った検出反射光の強度分布）は、エッジ部分３０ａに対応する位置２カ所で特に暗くなる（図５参照）。
【００３３】
明視野画像の場合の特徴として、図２に示す矩形マーク３０においては、マークの輪郭が暗くなり、図３に示す矩形マーク３１においては、マークの周囲溝部分が暗くなる。ウエハ表面２ａにレジスト３が塗布されておらず、かつ、矩形マーク３０，３１のエッジ部分に傾斜等の非対称性がない場合には、検出光学系１０５で得られた矩形マーク３０，３１からの反射光による信号は、左右対称の信号波形となる。しかしながら実際には、ウエハ表面２ａに塗布されたレジスト３や矩形マークのエッジ部分の非対称性によって、検出光学系１０５で得られた矩形マーク３０，３１からの反射光による信号は、左右非対称の信号波形となる。
【００３４】
アライメントマークＭの中心を求める信号処理としてモデルパターンを利用したパターンマッチング法やモデル信号の設計値に対して左右信号の対称性の相関度を利用し、相関の評価関数のピークを検出することによりマークの中心を求める自己相関によるパターンマッチング法などの各種画像処理法が使用されている。モデル信号の設計値は理想信号の状況で定義されているので、左右の対称性が良い場合で定義されているために対称性が劣化するほど、設計中心からの計測誤差が発生する。
【００３５】
その計測誤差の値は、ウエハ２面内において、測定位置によって異なる場合がある。例えば、ウエハ表面２ａにレジスト３を塗布する工程においてはウエハ２を回転させつつ塗布を行う。ウエハ２を回転させると、その外周部の方が、中心部よりも速度が大きくなるため、ウエハ２の外周部の方が塗布ムラの影響が大きいと考えられる。レジスト３による誤差を測定する方法として、レジスト３の塗布前後でＡＧＡ方式によるアライメントを行ってその差を定量化する手段が考えられる。
ウエハ２と酸化シリコン層２ｃとの段差部分をレジスト３の塗布前後に検出し、それらの検出結果に基いてマーク中心の位置ずれが少ないと判断される位置を選択することにより、ＷＩＳの影響が少ない検出位置を探すことができる。しかし、検出時のウエハ２のチャッキング状態によってもウエハ２の平面度が変化してしまい、それによる検出誤差も影響して検出誤差が大きくなってしまう。ここで、レジスト３を塗布した状況でレジスト３より下方の段差構造からの反射光情報が得られれば、ウエハ２の平面度の問題を解決することができる。そこで、レジスト３より、下方の構造を直接光学的に検出する手段として、ウエハ２の裏面２ｂより表面２ａのアライメントマークＭを検出することが考えられる。図６はシリコンの透過率を示している。図６からわかるように、シリコンウエハ２の透過率は光の波長が１０００ｎｍを超えると急速に向上する。
表面光１０ａは、例えば波長５００ｎｍ以上７００ｎｍ以下の可視光であってもよいし、１１００ｎｍ以上１３００ｎｍ以下の赤外光であってもよい。そして表面側光源１０は、そのような表面光１０ａを射出するＬＥＤ光源やＬＤ光源であってもよい。表面側光源１０として例えばハロゲン光等の広波長帯域の光源が用いられる場合は、図示しない光学フィルタを用いて所望の波長光のみを選択的に使用する。この表面光１０ａは、光ファイバ１１によって照明光学系１２に導かれる。
【００３６】
照明光学系１２に導かれた表面光１０ａは、光学レンズ、ミラーを経由して偏光ビームスプリッタ１３を透過し、対物レンズ１４によってウエハ表面２ａのアライメントマークＭ周囲へと照射されるようになっている。アライメントマークＭ周囲で反射された反射光としての表面光１０ａは再び対物レンズ１４を通って偏光ビームスプリッタ１３で反射され、検出光学系１５へと導かれる。検出光学系１５へと導かれた表面光１０ａは、エレクターレンズ１６によって集光され、第１の検出器としての表面側ＣＣＤ１７にて検出され、ビデオ信号に変換される。
【００３７】
第２の光源（以下、裏面側光源という。）２０は、第２の照明光（以下、裏面光という。）２０ａをウエハ２の表面２ａ上に形成された位置検出用マークとしてのアライメントマークＭにその裏面２ｂから照射するものである。裏面光２０ａとしては、例えば赤外光が用いられる。裏面側光源２０は、その裏面光２０ａを射出するＬＥＤ光源やＬＤ光源であってもよい。裏面側光源２０として広波長帯域の光源が用いられる場合は、図示しない光学フィルタを用いて所望の波長光のみを選択的に使用する。この裏面光２０ａは、光ファイバ２１によって照明光学系２２に導かれる。照明光学系２２に導かれた裏面光２０ａは、光学レンズ、ミラーを経由して偏光ビームスプリッタ２３を透過し、対物レンズ２４によってウエハ裏面２ｂからウエハ２を通してウエハ表面２ａのアライメントマークＭ周囲へと照射されるようになっている。
【００３８】
図７は、ウエハ２の表面２ａに形成されたアライメントマークＭを拡大して示した拡大断面図である。シリコン（Ｓｉ）を材料とするウエハ２の表面２ａに酸化シリコン（ＳｉＯ２）層２ｃが形成されており、エッチングによってアライメントマークＭが凹形状に形成されている。そのアライメントマークＭの凹部分にはタングステン膜２ｄが形成されており、さらにその上からレジスト３が塗布されている。アライメントマークＭが呈する凹形状によってレジスト３も緩やかに凹んだ形状となっている。
【００３９】
赤外光としての裏面光２０ａはウエハ裏面２ｂから入射してウエハ２を透過し、ウエハ２と酸化シリコン層２ｃとの境界面Ａ、ウエハ２とタングステン膜２ｄとの境界面Ｂ、酸化シリコン層２ｃとレジスト３との境界面Ｃ、タングステン膜２ｄとレジスト３との境界面Ｄでそれぞれ反射される。このとき、酸化シリコン層２ｃとタングステン膜２ｄとでは反射率が異なるため、信号のコントラストは高くなる。ウエハ２の裏面２ｂが平滑でないと、裏面光２０ａが裏面２ｂで散乱してしまい、検出すべき反射光強度が低下する。したがって、このウエハ２は、その裏面２ｂが鏡面研磨されていることが望ましい。この実施の形態１においては、表面２ａ、裏面２ｂともに高精度のアライメント信号検出を行うために、ウエハ２の表面２ａ、裏面２ｂはともに鏡面研磨されている。
【００４０】
アライメントマークＭ周囲で反射された反射光としての裏面光２０ａは再び対物レンズ２４を通って偏光ビームスプリッタ２３で反射され、検出光学系２５へと導かれる。検出光学系２５へと導かれた裏面２０ａは、エレクターレンズ２６によって集光され、第２の検出器としての裏面側ＣＣＤ２７にて検出されて、ビデオ信号に変換される。この裏面側ＣＣＤ２７は、例えば赤外線ＣＣＤカメラ等で構成されている。
【００４１】
一般用のＣＣＤカメラの場合、赤外線カットフィルタ（ＩＲフィルタ）により赤外域の光がカットされている場合が多い。赤外域の光は熱源となるので、ＣＣＤに入力してしまうと熱雑音が増大し撮像画面のＳ／Ｎ比が悪化するためである。そこで、赤外カットフィルタを取り外して赤外域にも感度を有することとなったＣＣＤカメラが裏面側ＣＣＤ２７として使用される。熱雑音を抑えるためにペルチェ素子等を用いて冷却機能を有したものが市販されている。図８に赤外線ＣＣＤカメラの分光感度の例を示す。図６のシリコン（Ｓｉ）における赤外線の透過率と赤外線ＣＣＤカメラの分光感度を参照して、裏面側光源１０として必要な光源を選定することができる。
【００４２】
図９は、表面側ＣＣＤ１７、裏面側ＣＣＤでそれぞれ検出された検出結果に基づいて所定の演算処理を行ってウエハ２のアライメントを行うための制御系４０の概略ブロック図である。表面側ＣＣＤ１７からのビデオ信号１７ａと裏面側ＣＣＤ２７からのビデオ信号２７ａは、信号処理部（演算部）４１へと入力される。信号処理部４１は、ビデオ信号１７ａとビデオ信号２７ａとの差分を算出するためのものである。
【００４３】
信号処理部４１は、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等により構成されている。信号処理部４１では、まずビデオ信号１７ａに基づいてデジタル信号処理を行い、アライメントマークＭの中心位置が検出される。この中心位置は、アライメントマークＭをウエハ表面２ａから検出した際の中心検出位置となる。同様に、ビデオ信号２７ａに基づいてデジタル信号処理を行い、アライメントマークＭの中心位置が検出される。この中心位置は、アライメントマークＭをウエハ裏面２ｂから検出した際の中心検出位置となる。この２つの中心検出位置の差分が信号処理装置４１によって算出される。信号処理の方法としては、自己テンプレート方式のパターンマッチング法、モデルを使用したパターンマッチング法等を使用することができる。
【００４４】
以上のような信号処理は、この信号処理部４１内や信号処理部４１に接続された図示しないコンピュータにインストールされたマーク検出プログラム等のソフトウェアプログラムによって実現される。そのマーク検出プログラムは、信号処理部４１やコンピュータに、表面光１０ａを表面側ＣＣＤ１７により検出するステップと、裏面光２０ａを裏面側ＣＣＤ２７により検出するステップと、それらの検出結果の差分を算出するステップと、その差分に基づいてＡＧＡ方式によるアライメントに適したアライメントマークＭを選択するステップとを実行させるものである。
【００４５】
メインシーケンスコントローラ４２は、図１に示すマーク検出装置１全体の動作シーケンスをコントロールするのもので、ＣＰＵ（Ｃｅｎｔｒａｌ  Ｐｒｏｃｅｓｓｉｎｇ  Ｕｎｉｔ）や動作シーケンスが書かれたメモリ（ＲＯＭ、ＲＡＭ）記憶装置、ウェハコントローラ７との通信インターフェース等から構成されている。
【００４６】
これらの信号処理部４１、メインシーケンスコントローラ４２、ウエハコントローラ７は、イーサネット（登録商標）等の通信網により接続され、相互に通信可能な構成となっている。
【００４７】
次に、このマーク検出装置１を用いたマーク検出方法及びウエハアライメント方法について説明する。図１０は、このマーク検出装置１を用いてウエハ２のアライメントを行う手順を説明するフローチャートである。
【００４８】
マーク検出装置１にウエハ２をローディングした後、まずプリアライメント（粗計測）を行う（Ｓ．１１）。プリアライメントは、アライメントマークＭの位置を後述するファインアライメント（精密計測）に先だっておおよそ把握すべく、ウエハ２の外周に形成されたノッチ４３を検出する工程である。このノッチ４３は図２１に示すように、ウエハ２の外周に三角の切り欠き部分として形成され、オリフラの代わりに位置検出に用いる場合がある。プリアライメントマークを使用した画像処理によるプリアライメントに先立って外周基準で位置検出を行う場合にこのノッチ４３が用いられる。
【００４９】
このプリアライメントを行うとウエハステージ５を駆動して、ＣＡＤデータなどの位置座標情報に基づいて検出光学系の光軸下にアライメントマークＭが来るようにウエハ２を移動する。プリアライメントマーク（本実施の形態１においては不図示）でパターンマッチングなどのアライメントを行ってマーク認識を行ってから、アライメントマークＭに表面光１０ａ、裏面光２０ａが照射されるようにウエハステージ５を駆動する。
【００５０】
次にアライメントマークＭの位置を精密に検出するファインアライメントを行う（Ｓ．１２）。検出光学系１５，２５では、倍率と視野の関係からまず低倍率でプリアライメントを行い、その後倍率を切り替えて高倍率でファインアライメントを行う（この倍率切替手段については図示しない）。ファインアライメントにおいては、アライメントマークＭの位置をウエハ２の表面２ａ側と裏面２ｂ側との双方から検出する。図１１は、このファインアライメントの工程を説明するフローチャートである。アライメントマークＭに対してウエハ２の表面２ａ側から表面光１０ａを照射し、その反射光を表面側ＣＣＤ１７で検出する（Ｓ．２１）。それとともに、アライメントマークＭに対してウエハ２の裏面２ｂ側から裏面光２０ａを照射し、その反射光を裏面側ＣＣＤ２７で検出する（Ｓ．２２）。
【００５１】
表面側ＣＣＤ１７による検出結果（ビデオ信号）からアライメントマークＭのマーク中心位置を算出し、裏面側ＣＣＤ２７による検出結果（ビデオ信号）からアライメントマークＭのマーク中心位置を算出する。そして表面側のマーク中心位置と裏面側のマーク中心位置との差分、すなわちオフセット量を算出する（Ｓ．２３）。信号処理に関しては、予めアライメントマークＭの位置を構成するような同一パターン（ジグ用のテストパターン）等で構成しておく必要がある。
【００５２】
マーク位置合わせ装置（マーク検出装置１）の出荷前の校正では図２，図３に示すアライメントマーク３０，３１の単純なＳｉ段差の基板を図１７に示す配置のように構成して、表面と裏面とからのマーク中心の差分を検出し、検出差をシステムオフセットとして補正しておく。実際の実プロセス工程においては、実プロセス工程で表面にレジストを塗布しない状態で表面と裏面との検出差を予め求めておいた後にレジストを塗布しておき、レジストの非対称性の影響を表面と裏面とからの計測の差で検出する。
【００５３】
ウエハ２表面２ａには、複数のショット領域に対応して複数のアライメントマークＭが形成されている。したがって、上記ファインアライメント工程は、表面２ａ上の複数のアライメントマークＭのうちから指定された複数のアライメントマークＭについて行う。指定されたアライメントマークＭについてのすべての検出が完了したか否かを判断し（Ｓ．１３）、すべてが完了していない場合はメインシーケンスコントローラ４２からのシーケンス制御にしたがって次のアライメントマークＭを検出する。そのシーケンス制御によって次の指定アライメントマークＭを検出するための位置にウエハ２を移動し（Ｓ．１４）、再びファインアライメント工程を繰り返す。すべての指定アライメントマークＭの検出が完了すると、ＡＧＡ方式によるウエハ２のアライメントに用いるためのアライメントマークＭ（すなわち、ＡＧＡショットに対応するアライメントマークＭ）を選択する工程を行う（Ｓ．１５）。
【００５４】
図１２は、ＡＧＡショットに対応するアライメントマークＭを選択する工程を説明するフローチャートである。まずウエハ２全体での誤差を算出する（Ｓ．３１）。すなわち、ウエハ２全体の倍率・シフト・回転の誤差成分を算出する。そして、指定された複数のアライメントマークＭの表面側のマーク中心位置と裏面側のマーク中心位置との差分データから、各アライメントマークＭの差分データが予め設定された誤差判定レベルの何％のレベルに入るかを確認する（Ｓ．３２）。
【００５５】
誤差レベルが設定レベルを超える場合は、警告表示を行う（Ｓ．３３）。一方、ショット領域に対応するアライメントマークＭの誤差レベルが設定レベルを超えていない場合、そのアライメントマークＭをＡＧＡ方式のウエハアライメントに使用することができると判断し、選択する（Ｓ．３４）。誤差判定レベルの値に応じて位置検出を行うアライメントマークＭの指定数やそのウエハ２上での位置を設定することも可能である。
【００５６】
ＷＩＳが大きい部分に対応するアライメントマークＭの場合は、その表面側と裏面側とでのマーク中心位置の差分データが大きくなる。そのような場合は、重ね合わせ検査装置（重検装置）等によってアライメントマークＭの位置検出精度やその相関を確認することにより、さらに位置検出の信頼性を向上させることができる。
【００５７】
このマーク検出装置１によってアライメントマークＭの位置検出を行い、その差分データが誤差判定レベルを超えていないものをＡＧＡショットに対応するアライメントマークとして選択することができる。そのアライメントマークを用いて露光装置５１（図１３参照）によりＡＧＡ方式によるアライメントを行い、ウエハ２とレチクルとの正確な位置決めを行って、露光を行うことができる。露光装置５１は、露光原版としてのレチクル上の回路パターンをウエハ２表面に露光するための露光光源、レチクルを保持するための第１の保持部材としてのレチクルチャック、ウエハ２を保持するための第２の保持手段としてのウエハチャック、レチクルとウエハ２との位置調整のための位置調整部としてのレチクルステージとウエハステージ、を有している。露光装置５１は、マーク検出装置１によって選択されたＡＧＡショットに対応するアライメントマーク（所定のアライメントマーク）Ｍの位置をウエハ２の表面２ａから検出する検出部をさらに有しており、その検出部の検出結果に基づいてレチクルステージとウエハステージとを移動させて両者の位置調整を行い、露光光源によってレチクル上の回路パターンをウエハ２上へと露光する。
【００５８】
なお、本実施の形態１においては、図１３に示すようにマーク検出装置１はウエハ表面２ａにレジスト３を塗布するためのコーター５０と露光装置５１との間に配置されている。これらはイーサネット（登録商標）等の通信網により接続され、マーク検出装置１による検出結果をコーター５０や露光装置５１へと送ることができるように構成されている。したがって、その検出結果をフィードバックすることにより、塗布条件や露光条件等を種々最適に変更することが可能とされている。各装置の制御やデータ通信等は、これらの装置に接続されたホストコンピュータ５２によって制御されている。
【００５９】
［実施の形態２］
上記実施の形態１においては、マーク検出装置１を露光装置５１と別体として構成し、マーク検出装置１とコーター５０と露光装置５１とを通信網により接続する構成としたが、このマーク検出装置１が露光装置５１内に備えられ、マーク位置検出からウエハ露光までの一連の工程が露光装置５１によって行われるものであってもよい。
【００６０】
露光装置５１による露光動作に先立って露光装置５１内に備えられたマーク検出装置１によるマーク検出動作を行うことにより、マーク位置検出から露光までの連続した一連の工程を露光装置５１により行うことができ、高精度な露光を行うことができる。すなわち、図１に示したマーク検出装置１の構成そのものを露光装置５１に内蔵させ、露光動作を行う前に図１０〜図１２に示すソフトウエアでのシーケンス動作を行うように構成することもできる。
【００６１】
また、予め露光装置５１内に所定のＡＧＡショット１０７の数と位置とをパラメータとして有するＪＯＢ設定を行っておき、そのＪＯＢ設定にしたがってアライメントマークＭの位置検出及びウエハ２の位置調整を行ってもよい。その際、ＪＯＢ設定において設定された所定のＡＧＡショット１０７以外のＡＧＡショットにおいても同時に計測を行い、その計測値がＪＯＢ設定によるＡＧＡショット１０７の計測値よりも良好な結果である場合には、ＡＧＡショットの数と位置とを変更することによりさらに高精度な位置決めを可能とすることができる。
【００６２】
ＪＯＢ設定とは、計測動作についてのパラメータ等を設定する場合に、マーク検出装置１や露光装置５１を動作させるための設定条件に名称が付与されてファイルとして登録されたものである。マーク検出装置１や露光装置５１の操作パネル等でこの設定条件のファイルを選択することにより、様々な動作に伴い諸条件が変更されてしまった場合であっても必要なパラメータ条件を装置に読み出してその条件設定に基づいて装置を動作させることが可能となる。
【００６３】
また、マーク検出による検出結果をモニタリングしつつウエハ２の露光を行うことにより、その検出結果にバラツキが少なくウエハ２のＷＩＳが小さいと判断できる場合には、ＡＧＡショット数を減少させることができる。それによりウエハ２の製造工程のスループットを向上させることができ、ウエハ製造効率を向上させることができる。一方、検出結果にバラツキが多くウエハ２のＷＩＳが大きいと判断できる場合には、ＡＧＡショットショット数を増加させて、ウエハアライメントにおける平均化効果による高精度化を図ることができる。
【００６４】
次に、図１４及び図１５を参照して、このマーク検出装置１を備えた露光装置５１を利用したデバイスの製造方法の実施例を説明する。図１４は、デバイス（ＩＣやＬＳＩなどの半導体チップ、ＬＣＤ、ＣＣＤ等）の製造を説明するためのフローチャートである。ここでは、半導体チップの製造を例に説明する。ステップ１０１（回路設計）ではデバイスの回路設計を行う。ステップ１０２（レチクル製作）では、設計した回路パターンを形成したレチクルを製作する。ステップ１０３（ウェハ製造）ではシリコンなどの材料を用いてウェハ（被処理体）を製造する。ステップ１０４（ウェハプロセス）は前工程と呼ばれ、レチクルとウェハを用いてリソグラフィ技術によってウェハ上に実際の回路を形成する。ステップ１０５（組み立て）は後工程と呼ばれ、ステップ１０４によって作成されたウェハを用いて半導体チップ化する工程であり、アッセンブリ工程（ダイシング、ボンディング）、パッケージング工程（チップ封入）等の工程を含む。ステップ１０６（検査）では、ステップ１０５で作成された半導体デバイスの動作確認テスト、耐久性テストなどの検査を行う。こうした工程を経て半導体デバイスが完成し、これが出荷（ステップ１０７）される。
【００６５】
図１５は、ステップ１０４のウェハプロセスの詳細なフローチャートである。ステップ１１１（酸化）ではウェハの表面を酸化させる。ステップ１１２（ＣＶＤ）では、ウェハの表面に絶縁膜を形成する。ステップ１１３（電極形成）では、ウェハ上に電極を蒸着などによって形成する。ステップ１１４（イオン打ち込み）ではウェハにイオンを打ち込む。ステップ１１５（レジスト処理）ではウェハに感光剤を塗布する。ステップ１１６（露光）では、露光装置５１によってレチクルの回路パターンをウェハに露光する。ステップ１１７（現像）では、露光したウェハを現像する。ステップ１１８（エッチング）では、現像したレジスト像以外の部分を削り取る。ステップ１１９（レジスト剥離）では、エッチングが済んで不要となったレジストを取り除く。これらのステップを繰り返し行うことによってウェハ上に多重に回路パターンが形成される。この製造方法によれば従来よりも高品位のデバイスを製造することができる。
【００６６】
［実施の形態３］
表面光１０ａと裏面光２０ａの波長を同一波長とすることにより、さらに好ましい装置構成とすることができる。このとき、その波長は赤外波長であることが望ましい。表面光１０ａと裏面光２０ａの波長を同一波長とすることにより、それぞれのＣＣＤ１７，２７による検出画像の波長差をなくすことができる。したがって、それぞれの検出結果から差分を算出するに際して光源波長差に基づくオフセット補正をする必要がなくなる。一方、表面光１０ａに可視光を使用することにより、より高精度にウエハ表面２ａからのマーク検出を行うことが可能となる。したがって、表面側光源１０として複数の波長の光源を内蔵するものを用い、検出精度優先の場合とスループット優先の場合とで、光源１０の波長を選択できるようにするとマーク検出装置１の利便性が向上する。
【図面の簡単な説明】
【００６７】
【図１】本発明の実施の形態１に係るマーク検出装置を示す装置概念図である。
【図２】ウエハ表面に形成されるアライメントマークの例を示す図であり、（ａ）はシングルエッジの矩形マークを示す平面図であり、（ｂ）はその凹形状を示す断面図である。
【図３】ウエハ表面に形成されるアライメントマークの例を示す図であり、（ａ）はダブルエッジの矩形マークを示す平面図であり、（ｂ）はその凹形状を示す断面図である。
【図４】オフアクシス系のアライメント検出光学系によって図２に示すアライメントマークに光を入射した様子を、Ａ−Ａで切断して示す断面図である。
【図５】図２に示すアライメントマークからの反射光を検出光学系で検出した反射光強度を示すグラフである。
【図６】シリコンの波長ごとの光の透過率を示すグラフである。
【図７】アライメントマークの構造を拡大して示した拡大断面図である。
【図８】赤外線ＣＣＤカメラの分光感度の例を示すグラフである。
【図９】表面側ＣＣＤ、裏面側ＣＣＤでそれぞれ検出された検出結果に基づいて所定の演算処理を行ってウエハのアライメントを行うための制御系の概略ブロック図である。
【図１０】図１に示すマーク検出装置を用いてウエハのアライメントを行う手順を説明するフローチャートである。
【図１１】ファインアライメントの工程を説明するフローチャートである。
【図１２】ＡＧＡショットに対応するアライメントマークを選択する工程を説明するフローチャートである。
【図１３】本発明の実施の形態１におけるコーターとマーク検出装置と露光装置とを接続したシステム構築例を示すブロック図である。
【図１４】マーク検出装置を備えた露光装置によるデバイス製造方法を説明するためのフローチャートである。
【図１５】図１４に示すステップ１０４の詳細なフローチャートである。
【図１６】オフアクシス方式のアライメント方法を行うための装置構成の例を示す概略構成図である。
【図１７】ＡＧＡ方式において、ウエハから選択される所定のＡＧＡショットを示すショット領域配置図である。
【図１８】ウエハ表面にレジストを回転塗布した場合のウエハ表面の回転方向の塗布ムラを示す模式図である。
【図１９】ウエハ表面にレジストを回転塗布した場合のウエハ表面の放射方向の塗布ムラを示す模式図である。
【図２０】ＣＭＰ等の工程を含むウエハの表面プロセス工程の手順を示す説明図である。
【図２１】ウエハの外周に形成されたノッチを示す平面図である。
【符号の説明】
【００６８】
Ｍ：アライメントマーク（位置検出マーク）
１：マーク検出装置
２：ウエハ（被処理体）
２ａ：表面
２ｂ：裏面
３：レジスト
４：ウエハチャック
１０：表面側光源（第１の光源）
１０ａ：表面光（第１の照明光）
１７：表面側ＣＣＤ（第１の検出器）
２０：裏面側光源（第２の光源）
２０ａ：裏面光（第２の照明光）
２７：裏面側ＣＣＤ（第２の検出器）
３０，３１：矩形マーク（アライメントマーク）
４１：信号処理部（演算部）
【図１】
2005057222.tif 000003
【図２】
2005057222.tif 000004
【図３】
2005057222.tif 000005
【図４】
2005057222.tif 000006
【図５】
2005057222.tif 000007
【図６】
2005057222.tif 000008
【図７】
2005057222.tif 000009
【図８】
2005057222.tif 000010
【図９】
2005057222.tif 000011
【図１０】
2005057222.tif 000012
【図１１】
2005057222.tif 000013
【図１２】
2005057222.tif 000014
【図１３】
2005057222.tif 000015
【図１４】
2005057222.tif 000016
【図１５】
2005057222.tif 000017
【図１６】
2005057222.tif 000018
【図１７】
2005057222.tif 000019
【図１８】
2005057222.tif 000020
【図１９】
2005057222.tif 000021
【図２０】
2005057222.tif 000022
【図２１】
2005057222.tif 000023